(57)【要約】【課題】人体型に装着して使用するボディパッドにおいて、ファスナーの裏側のテープ状の持ち出し片に、スライダーが食い込むことを防止し、ファスナーの開閉操作を、迅速化、容易化できるようにする。【解決手段】衣服１を着せるための人体型２の前後を覆うクッション質の面状材３で形成する。この面状材３の側部を、ファスナー４で開閉可能に形成する。ファスナー４の裏側に、左右一対のテープ状の持ち出し片５を、面状材３の側端に沿って縫い付ける。この持ち出し片５の下端部５ａを、面状材３の側端を覆うよう内方に返して捲り、面状材３の裏側に縫い付ける。【選択図】      図１
0003213768.tif 000002
【実用新案登録請求の範囲】
【請求項１】
衣服を着せるための人体型の前後を覆うクッション質の面状材で形成され、この面状材の側部がファスナーで開閉可能に形成されている衣服仕上げ機の人体型装着用ボディパッドであって、上記のファスナーの裏側に、左右一対のテープ状の持ち出し片が、ファスナーを形成する左右一対のテープ片と一緒に、面状材の側端に沿って縫い付けられ、この持ち出し片の下端部が面状材の側端を覆うよう内方に返されて捲られ、面状材の裏側に縫い付けられていることを特徴とする衣服仕上げ機の人体型装着用ボディパッド。
【請求項２】
請求項１記載の衣服仕上げ機の人体型装着用ボディパッドであって、持ち出し片の下端部と面状材との縫い目が、面状材の下縁に沿って下縁と平行状に形成されていることを特徴とする衣服仕上げ機の人体型装着用ボディパッド。
【考案の詳細な説明】
【技術分野】
【０００１】
本考案は、洗濯したワイシャツ等の衣服を、起立状の人体型に着せた状態でプレス仕上げする衣服仕上げ機に関し、更に詳しくは人体型に装着して使用するボディパッドに関するものである。
【背景技術】
【０００２】
従来、この種のパッドは、人体型に加わるプレス鏝の衝撃や振動を和らげることができるよう、人体型の前後を覆うクッション質の面状材で形成されている（例えば特許文献１参照）。
【０００３】
また従来、この種のパッドの中には、面状材の両側部にファスナーが設けられ、面状材の両側部がファスナーで開閉可能に形成されているものがある。
【０００４】
ところで、ファスナーを備えたこの種のパッドにあっては、スライダーが面状材の側端に近接して移動するため、スライダーが面状材の側端に食い込み易い。そのため、これを防止するため、従来は、ファスナーの裏側に、「持ち出し」と呼ばれるテープ状の布片が、面状材の側端に沿って縫い付けられることが多い。
【０００５】
しかしながら、従来のこの種の布片は、面状材の側端に、上下端が解放された状態で、単に縫い付けられていた。
【０００６】
そのため、従来品は、作業者がスライダーを引き上げると、この種の布片にスライダーが食い込み易く、スライダーを円滑に操作することができなかった。
その結果、従来品は、パッドの側部の開閉を、迅速化、容易化できず、使い勝手が悪い、という問題点があった。
【先行技術文献】
【特許文献】
【０００７】
【特許文献１】特開２００７−３０６９９５号公報
【考案の概要】
【考案が解決しようとする課題】
【０００８】
本考案は、このような従来技術の問題点に鑑み、提案されたものである。
従って、本考案の解決しようとする技術的課題は、洗濯したワイシャツ等の衣服を人体型に着せた状態で仕上げる衣服仕上げ機の、上記の人体型に装着して使用するボディパッドにおいて、テープ状の持ち出し片にスライダーが食い込むことを防止し、ファスナーの開閉操作を、迅速化、容易化できるよう形成した、衣服仕上げ機の人体型装着用ボディパッドを提供することにある。
【課題を解決するための手段】
【０００９】
本考案は、上記の課題を解決するため、次のような技術的手段を採る。
即ち、本考案のボディパッドは、図１等に示されるように、衣服１を着せるための人体型２の前後を覆うクッション質の面状材３で形成され、この面状材３の側部がファスナー４で開閉可能に形成されている人体型装着用ボディパッドであって、上記のファスナー４の裏側に、左右一対のテープ状の持ち出し片５が、面状材３の側端に沿って縫い付けられ、この持ち出し片５の下端部５ａが面状材３の側端を覆うよう内方に返されて捲られ、面状材３の裏側に縫い付けられていることを特徴とする（請求項１）。
【００１０】
この場合、本考案は、持ち出し片５の下端部５ａと面状材３との縫い目６が、面状材３の下縁３ｂに沿って下縁３ｂと平行状に形成されているのが好ましい（請求項２）。
【００１１】
なぜなら、これによると、持ち出し片５の下端部５ａを整然と綺麗に始末できるからである。またこれによれば、持ち出し片５の外端のラインが傾斜状に長く形作られ、スライダー４ｄが面状材３の側端に食い込むことを、より確実に防止できるからである。
【考案の効果】
【００１２】
本考案のボディパッドは、このようにファスナーの裏側に、左右一対のテープ状の持ち出し片が、面状材の側端に沿って縫い付けられ、この持ち出し片の下端部が内方に返されて捲られ、面状材の裏側に縫い付けられているものである。
【００１３】
従って、本考案の場合は、持ち出し片の下端部の外側のラインが、下方になるに従って内方に次第に湾曲傾斜し、この持ち出し片の下端部によって、面状材の側端が覆われる。
【００１４】
その結果、これによれば、スライダーが面状材の側端に食い込むことを防止でき、迅速且つ容易に、また楽に人体型に装着できる。
【図面の簡単な説明】
【００１５】
【図１】本考案のボディパッドの好適な一実施形態を示し、Ａは使用状態時の正面図、ＢはＡのＢ−Ｂ線から見た要部側面図、ＣはＡのＣ−Ｃ線から見た内側の要部側面図である。
【図２】人体型を備えた衣服仕上げ機の要部正面図である。
【図３】同上ボディパッドの正面図である。
【図４】図３のＩＶ−ＩＶ線から見た同上ボディパッドの要部斜視図である。
【図５】図４のＶ−Ｖ線から見た同上ボディパッドの内側の要部側面図である。
【図６】側部が閉じられた状態の同上ボディパッドの要部斜視図である。
【考案を実施するための形態】
【００１６】
以下、本考案の好適な一実施形態を、添付図面に従って説明する。
本考案は、例えばワイシャツ等の衣服１を着せるための人体型２の前後を覆うクッション質の面状材３で形成されている。この面状材３の側部は、ファスナー４で開閉可能に形成されている。
【００１７】
上記の面状材３は、この実施形態ではフランネルで形成されている。またこの実施形態の本考案品は、同じ大きさの２枚の面状材３が肩のラインで縫い合わされて二つ折り状に形成されている。そして、前側の面状材３は、上部に、人体型２の首２ａを通すための孔３ａが開口されている。
【００１８】
ファスナー４は、テープ状基材４ａの端にエレメント４ｂが取り付けられている。そして、本考案は、このファスナー４の裏側に、テープ状の持ち出し片５が、面状材３の側端に沿って、テープ状基材４ａと一緒に縫い付けられている。
【００１９】
またこの持ち出し片５の下端部５ａは、面状材３の側端を覆うよう内方（面状材３の裏側）に返されて捲られ、面状材３の裏側に縫い付けられている。
この場合、持ち出し片５の下端部５ａは、この実施形態では縫い目６が面状材３の下縁３ｂと平行になるよう縫い付けられている。
【００２０】
なお、図１Ａにおいて、７は、本考案品を覆うカバーである。本考案品は、ワイシャツ等の衣服１に付着している洗濯糊で汚れないよう、カバー７で覆われるものである。
【００２１】
次に、この実施形態に係る本考案品の使用例を説明する。
【００２２】
先ず、作業者は、人体型２の首２ａに、面状材３の上部の孔３ａを通し、面状材３を人体型２に被せる。これにより、人体型２の前後が、面状材３でサンドイッチ状に覆われる。
【００２３】
次に、作業者は、一方のテープ状基材４ａ（図４参照）の下端に設けられている差し込み片４ｃを、他方のテープ状基材４ａのスライダー４ｄに差し込み、スライダー４ｄを引き上げる。
【００２４】
これにより、エレメント４ｂが噛み合わされ、面状材３の側部が閉じられる。作業者は、このような操作を面状材３の両側で行い、本考案品を人体型２に装着する。
【００２５】
この場合、本考案品は、上記の通り、テープ状の持ち出し片５の下端部５ａが、面状材３の側端を覆うよう内方に返されて捲られ、面状材３の裏側に縫い付けられている。
【００２６】
従って、スライダー４ｄは、面状材３の側端や持ち出し片５の下端部５ａに食い込むことなく、円滑に引き上げられる。
その結果、これによれば、迅速且つ容易に、面状材３の側部を閉塞できる。
【００２７】
以上の処において、本考案は、持ち出し片５の下端部５ａが面状材３の側端を覆うよう内方に返されて捲られ、面状材３の裏側に縫い付けられているのであれば、裏側への返し状態や縫い付け状態は、適宜選定されるので良い。
【００２８】
また本考案は、持ち出し片５の下端部５ａと共に、持ち出し片５の下端部５ａから上端部に至る途中の適宜箇所が、面状材３の側端を覆った状態で面状材３の裏側に縫い付けられているのでも良い。この場合は、より一層スライダー４ｄの食い込みを防止でき、円滑に操作できるからである。
【符号の説明】
【００２９】
１      衣服
２      人体型
３      面状材
４      ファスナー
５      持ち出し片
５ａ    下端部
【図１】
0003213768.tif 000003
【図２】
0003213768.tif 000004
【図３】
0003213768.tif 000005
【図４】
0003213768.tif 000006
【図５】
0003213768.tif 000007
【図６】
0003213768.tif 000008